(57)【要約】  照明デバイス５が開示される。照明デバイス５は、複数の発光フィラメント１０を備え、発光フィラメント１０のそれぞれは、支持体上に発光フィラメント１０の長手方向軸に沿って取り付けられている、複数の固体光源を含む。発光フィラメント１０は、平面構成で配置されており、照明デバイス５は、平面構成によって画定されている平面Ｐから垂直方向に離れる、照明の主方向Ｉを有する。少なくとも２つの発光フィラメント１０の長手方向軸Ｌ１、Ｌ２は、互いに非平行である。照明デバイスを備える照明器具もまた開示される。照明デバイス５は、コスト効率の高い方式で製造されることができる。
2021535576.tif 000002
【特許請求の範囲】
【請求項１】
複数の発光フィラメントを備える照明デバイスであって、前記発光フィラメントのそれぞれが、
前記発光フィラメントの長手方向軸を画定する細長形支持体と、
前記支持体上に前記長手方向軸に沿って取り付けられている複数の固体光源であって、各固体光源が、発光面から光を放出するように構成されている、複数の固体光源と、
ルミネッセント材料を含む封入材であって、前記固体光源の前記発光面を少なくとも部分的に包囲しており、前記固体光源によって放出された光を少なくとも部分的に波長変換光に変換するように構成されている、封入材と、を備え、
前記発光フィラメントが、平面構成で配置されており、前記照明デバイスは、前記平面構成によって画定されている平面から垂直方向に離れる、照明の主方向を有し、少なくとも２つの発光フィラメントの前記長手方向軸が、互いに非平行であり、
前記照明デバイスは、前記発光フィラメントによって放出された光を、前記平面に平行な方向にコリメートするように構成されている、コリメータを更に備え、前記コリメータが、複数のサブコリメータを含み、各サブコリメータが、前記発光フィラメントのうちの１つによって放出された光をコリメートするように構成されており、前記コリメータが、照明の前記主方向を向いている表面を有し、各サブコリメータが、前記表面内の凹部によって形成されており、各凹部が、前記発光フィラメントのうちの１つを少なくとも部分的に収容している、照明デバイス。
【請求項２】
前記発光フィラメントが、前記照明デバイスの光軸の周りに対称に配置されており、前記光軸が、前記平面に対して垂直である、請求項１に記載の照明デバイス。
【請求項３】
前記複数の発光フィラメントが、少なくとも３つの発光フィラメントを含み、前記発光フィラメントの前記長手方向軸が、前記光軸に対して半径方向に配置されている、請求項１又は２に記載の照明デバイス。
【請求項４】
前記少なくとも３つの発光フィラメントの前記長手方向軸が、互いに等角度で配置されており、前記角度が、前記平面内にある、請求項３に記載の照明デバイス。
【請求項５】
前記複数の発光フィラメントが、少なくとも３つの発光フィラメント含み、前記発光フィラメントの前記長手方向軸が、前記光軸に対する半径方向に対して、垂直に配置されている、請求項１乃至４のいずれか一項に記載の照明デバイス。
【請求項６】
前記コリメータが、反射器又は全内部反射コリメータである、請求項１乃至５のいずれか一項に記載のコリメータ。
【請求項７】
各サブコリメータが、対応する前記発光フィラメントによって放出された光を、前記発光フィラメンの長手方向軸に対して垂直な方向に、かつ前記平面に平行な方向に、コリメートするように構成されている、請求項１乃至６のいずれか一項に記載の照明デバイス。
【請求項８】
各発光フィラメントが、対応する前記凹部の内側表面から距離を置いて配置されている、請求項１乃至７のいずれか一項に記載の照明デバイス。
【請求項９】
前記発光フィラメントが、多角形形状及び星形状のうちの少なくとも一方を形成するように配置されている、請求項１乃至８のいずれか一項に記載の照明デバイス。
【請求項１０】
前記発光フィラメントによって放出される前記光を制御するように構成されている、コントローラを更に備える、請求項１乃至９のいずれか一項に記載の照明デバイス。
【請求項１１】
少なくとも２つの発光フィラメントから成る第１のグループであって、前記平面内で第１の向きを有する、第１のグループと、
少なくとも２つの発光フィラメントから成る第２のグループであって、前記平面内で第２の向きを有する、第２のグループと、を備え、
前記第１の向きが、前記第２の向きとは異なり、前記コントローラが、発光フィラメントの前記第１のグループと前記第２のグループとを、個別に制御するように構成されている、
請求項１０に記載の照明デバイス。
【請求項１２】
照明器具であって、
請求項１乃至１１のいずれか一項に記載の、少なくとも１つの照明デバイスと、
前記少なくとも１つの照明デバイスに電気的に接続されており、前記少なくとも１つの照明デバイスに電力を供給するように構成されている、電気接続部と、
前記少なくとも１つの照明デバイスによって放出された光を、前記照明器具の周囲に解放するように配置されている、出射窓と、を備える、照明器具。
【発明の詳細な説明】
【技術分野】
【０００１】
本発明は、発光フィラメントを有する照明デバイス、及びそのような照明デバイスを備える照明器具に関する。
【背景技術】
【０００２】
一般的なタイプの照明デバイスは、平面内に配置されている発光ダイオード（light-emitting diode；ＬＥＤ）を有し、当該平面に対して垂直な、照明の主方向に光を放出する。多くのＬＥＤスポット及びＬＥＤダウンライトが、この範疇の照明デバイスに属している。このタイプの既存の照明デバイスは、それらの使用目的に関しては好適であるが、例えば製造コストの削減に関して、更なる技術的開発の必要性が認識されている。
【０００３】
欧州特許第２６３６９４２（Ａ）号では、電球形状のランプであって、中空のグローブと、ベースプラットフォームとベースプラットフォーム上に取り付けられているＬＥＤチップとを含むＬＥＤモジュールであって、グローブ内に設けられている、ＬＥＤモジュールと、ＬＥＤモジュールに電力を供給するためのリード線と、グローブの内部に向けて延出しているステムであって、グローブ内でベースプラットフォームがステムに直接固定されている、ステムとを含む、電球形状のランプが開示されている。
【発明の概要】
【発明が解決しようとする課題】
【０００４】
本発明の第１の態様によれば、複数の発光フィラメントを備える照明デバイスであって、発光フィラメントのそれぞれが、発光フィラメントの長手方向軸を画定する細長形支持体と、支持体上に長手方向軸に沿って取り付けられている複数の固体光源であって、各固体光源が、発光面から光を放出するように構成されている、複数の固体光源と、ルミネッセント材料を含む封入材であって、固体光源の発光面を少なくとも部分的に包囲しており、固体光源によって放出された光を少なくとも部分的に波長変換光に変換するように構成されている、封入材とを備え、発光フィラメントが、平面構成で配置されており、照明デバイスが、平面構成によって画定されている平面から垂直方向に離れる、照明の主方向を有し、少なくとも２つの発光フィラメントの長手方向軸が、互いに非平行である、照明デバイスが提示される。
【０００５】
本発明の第２の態様によれば、照明器具であって、本発明の第１の態様による、少なくとも１つの照明デバイスと、少なくとも１つの照明デバイスに電気的に接続されており、少なくとも１つの照明デバイスに電力を供給するように構成されている、電気接続部と、少なくとも１つの照明デバイスによって放出された光を、照明器具の周囲に解放するように配置されている、出射窓とを備える、照明器具が提示される。
【０００６】
発光フィラメントが「平面構成」で配置されているとは、各発光フィラメントが、平面内に配置されており、これらの平面が実質的に一致していることを意味する。実際には、平面は当然ながら、例えば製造公差及び組立公差に起因して、厳密には一致しない場合もある。
【０００７】
従来の白熱電球に類似するように設計されているＬＥＤ電球において、固体照明技術に基づくフィラメントが、従来使用されてきた。本発明は、そのようなフィラメントが、一部の一般的なタイプのスポット及びダウンライトなどの、光源が平面構成を有するべきである照明デバイスにおいて、使用されることができるという認識に基づくものである。本発明は、そのような照明デバイスの、コスト効果の高い製造を可能にする。更には、本発明は、均一な分布を有する光を放出する照明デバイスの、容易な製造を可能にする。
【課題を解決するための手段】
【０００８】
細長形支持体は、透明であってもよい。それにより、発光フィラメントは、発光フィラメントの長手方向軸を中心として実質的に全方向に光を放出するように構成されてもよい。
【０００９】
複数の発光フィラメントは、照明デバイスの光軸の周りに対称に配置されてもよく、光軸は、平面構成によって画定されている平面に対して垂直である。このように発光フィラメントを配置することは、照明デバイスによって放出される光の均質性を更に向上させるために役立ち得る。
【００１０】
複数の発光フィラメントは、少なくとも３つの発光フィラメントを含んでもよく、それらの長手方向軸は、光軸に対して半径方向に配置されている。このように発光フィラメントを配置することは、照明デバイスによって放出される光の均質性を更に向上させるために役立ち得る。このように配置される発光フィラメントの数は、例えば、３、４、５、６、７、８、９、又は１０以上であってもよい。比較的多数の発光フィラメントを使用することは、照明デバイスによって放出される光の均質性を更に向上させるために役立ち得る。少なくとも３つの発光フィラメントの長手方向軸は、互いに等角度で、又は実質的に等角度で配置されてもよく、当該角度は、平面構成によって画定されている平面内にある。換言すれば、少なくとも３つの発光フィラメントは、全ての隣接する発光フィラメントの長手方向軸間の角度が等しいか、又は実質的に等しくなるように配置されてもよい。
【００１１】
複数の発光フィラメントは、少なくとも３つの発光フィラメントを含んでもよく、それらの長手方向軸は、光軸に対する半径方向に対して、垂直に配置されている。このように発光フィラメントを配置することは、照明デバイスによって放出される光が特に均質になる結果をもたらし得る。このように配置される発光フィラメントの数は、例えば、３、４、５、６、７、８、９、又は１０以上であってもよい。比較的多数の発光フィラメントを使用することは、照明デバイスによって放出される光の均質性を更に向上させるために役立ち得る。
【００１２】
照明デバイスには、コリメータが設けられなくてもよい点に留意されたい。しかしながら、一部の用途では、照明デバイスは、コリメートされた光を放出することが望ましい。そのような場合には、照明デバイスは、複数の発光フィラメントによって放出された光を、平面構成によって画定されている平面に平行な方向にコリメートするように構成されている、コリメータを更に備えてもよい。コリメータは、例えば、全内部反射（Total Internal Reflection；ＴＩＲ）コリメータ、又は、光をコリメートするように構成されている反射器であってもよい。
【００１３】
コリメータは、各発光フィラメントによって放出された光を、個別にコリメートするように構成されてもよい。例えば、コリメータは、複数のサブコリメータを含んでもよく、各サブコリメータが、発光フィラメントのうちの１つによって放出された光をコリメートするように構成されている。サブコリメータは、例えば、ＴＩＲコリメータ、及び／又は、光をコリメートするように構成されている反射器であってもよい。各サブコリメータは、対応する発光フィラメントによって放出された光を、発光フィラメントの長手方向軸に対して垂直な方向に、かつ平面構成によって画定されている平面に平行な方向に、コリメートするように構成されてもよい。
【００１４】
照明デバイスに、コリメータ及び透明支持体を設けることは、照明デバイスから出る光の特に大部分が、良好にコリメートされる結果をもたらし得る点に留意されたい。
【００１５】
発光フィラメントは、多角形形状及び星形状のうちの少なくとも一方を形成するように配置されてもよい。
【００１６】
コリメータは、照明の主方向を向いている表面を有してもよく、各サブコリメータは、当該表面内の凹部によって形成されてもよい。各凹部は、例えば、放物面形状を有してもよい。各凹部は、発光フィラメントのうちの１つを少なくとも部分的に収容してもよく、又は、発光フィラメントのうちの１つを完全に収容してもよい。換言すれば、各発光フィラメントは、凹部のうちの１つ内に少なくとも部分的に配置されてもよく、又は、凹部のうちの１つ内に完全に配置されてもよい。各発光フィラメントは、対応する凹部の内側表面から距離を置いて配置されてもよい。各発光フィラメントは、例えば、対応する凹部／サブコリメータの焦点に配置されてもよい。
【００１７】
照明デバイスは、発光フィラメントによって放出される光を制御するように構成されている、コントローラを更に備えてもよい。コントローラは、例えば、各発光フィラメントを個別に制御するように構成されてもよい。あるいは、又は更に、コントローラは、いくつかの発光フィラメントから成るグループを、個別に制御するように構成されてもよい。例えば、照明デバイスは、少なくとも２つの発光フィラメントから成る第１のグループであって、平面構成によって画定されている平面内で第１の向きを有する、第１のグループと、少なくとも２つの発光フィラメントから成る第２のグループであって、平面構成の平面内で第２の向きを有する、第２のグループとを備えてもよい。第１の向きは、第２の向きとは異なっていてもよく、コントローラは、発光フィラメントの第１のグループと第２のグループとを、個別に制御するように構成されてもよい。同じグループに属している異なる発光フィラメントは、平面構成によって画定されている平面内で異なる向きを有してもよい点に留意されたい。
【００１８】
本発明は、請求項に記載されている特徴の、全ての可能な組み合わせに関するものである点に留意されたい。
【図面の簡単な説明】
【００１９】
本発明の、この態様及び他の態様が、次に、本発明の実施形態の実施例を示す添付図面を参照して、より詳細に説明される。
【図１】本発明の一実施形態による照明器具の概略斜視図を示す。
【図２】図１に示された照明器具内に含まれている照明デバイスの概略上面図を示す。
【図３】図２の線Ｘ−Ｘ'に沿った概略断面図を示す。
【図４】図１〜図３に示された照明デバイス内に含まれている発光フィラメントの概略斜視図を示す。
【図５】光強度分布を表す曲線を有する概略図である。
【図６】概略的な光パターンを示す。
【図７】概略的な光パターンを示す。
【図８】本発明の様々な実施形態による照明デバイスの概略上面図を示す。
【図９】本発明の様々な実施形態による照明デバイスの概略上面図を示す。
【図１０】本発明の様々な実施形態による照明デバイスの概略上面図を示す。
【００２０】
図で示されるように、層及び領域のサイズは、例示の目的のために誇張されており、それゆえ、本発明の実施形態の一般的な構造を例示するように提供されている。同様の参照符号は、全体を通して、同様の要素を指す。
【発明を実施するための形態】
【００２１】
ここで、現時点で本発明の好ましい実施形態が示されている添付図面を参照して、本発明が、以降でより完全に説明される。しかしながら、本発明は、多くの異なる形態で具現化されてもよく、本明細書に記載される実施形態に限定されるとして解釈されるべきではなく、むしろ、これらの実施形態は、完全性及び網羅性のために提供され、当業者に本発明の範囲を完全に伝達するものである。
【００２２】
図１は、部屋を照明するために天井に取り付けられている、照明器具１を示す。図１に示される照明器具１は、ダウンライトランプと称されてもよい。照明器具１は、ここでは、カバー２、出射窓３、電気接続部４、及び照明デバイス５を備える。出射窓３は、照明デバイス５によって放出された光が部屋に解放されるように配置されている。この場合、出射窓３は、カバー２と一体化されている。より具体的には、出射窓３は、カバー２の透明部分によって形成されている。電気接続部４は、ここでは、幹線からの電力を照明デバイス５に供給するように、電気的に接続されている。
【００２３】
次に、図２及び図３を参照して、より詳細に照明デバイス５が説明される。照明デバイス５は、（図２では紙面から外へと向いている）光軸Ａを有する。照明デバイス５の照明の主方向Ｉは、ここでは、光軸Ａに平行である。更には、照明デバイス５は、この場合、コリメータ６を備える。コリメータ６は、ここでは、平坦かつ円形の形状を有する。コリメータ６は、異なる実施例では、円形である必要はなく、例えば、正方形形状又は何らかの他の矩形形状などの、多角形形状を有してもよい。コリメータ６は、例えば、プラスチック材料で作製されてもよい。コリメータ６は、照明の主方向Ｉを向いている表面７を有する。表面７は、この場合、平坦かつ円形である。更には、表面７は、この場合、光軸Ａに対して垂直である。
【００２４】
コリメータ６は、ここでは、４つのサブコリメータ８を含む。サブコリメータの数は、当然ながら、異なる実施例では、４つよりも多いか又は少なくてもよい。サブコリメータ８は、ここでは反射器である。しかしながら、全内部反射器などの、他のタイプのコリメータを使用することも可能である。各サブコリメータ８は、表面７内の凹部によって形成されている。凹部８の内側表面９は、光を反射するように構成されている。例えば、凹部には、内側表面９を形成する反射性コーティングが設けられてもよい。各サブコリメータ８は、ここでは、直線状の細長形状を有する。サブコリメータ８は、この場合、光軸Ａに対して半径方向に配置されている。すなわち、各サブコリメータ８の長手方向軸は、光軸Ａに対する半径方向に沿って配置されている。更には、サブコリメータ８は、この場合、光軸Ａの周りに対称に配置されている。具体的には、この場合、２つの隣接するサブコリメータ８のそれぞれの長手方向軸の間には、約９０度の角度が存在している。更には、各サブコリメータ８は、この場合、当該２つの長手方向端部のうちの一方において、他のサブコリメータ８と一体化されている。図２において最も良好に見られるように、サブコリメータ８は一体となって、光軸Ａを中心とする十字状の形状を形成している。
【００２５】
照明デバイス５は、以降では簡潔性のために「フィラメント」と称される、４つの発光フィラメント１０を更に備える。フィラメント１０の数は、異なる実施例では、４つよりも多いか又は少なくてもよい。各サブコリメータ８は、フィラメント１０のうちの１つからの光をコリメートするように配置されている。それゆえ、コリメータ６は、ここでは、フィラメント１０によって放出された光を個別にコリメートするように構成されている。各凹部／サブコリメータ８内に、１つのフィラメント１０が配置されている。具体的には、各フィラメント１０は、ここでは、凹部の焦点に位置するように、フィラメント１０を収容している凹部の内側表面９から距離を置いて配置されている。当該距離は、例えば、少なくとも２ｍｍ、あるいは、７ｍｍ又は１０ｍｍなどの、少なくとも４ｍｍ又は少なくとも５ｍｍであってもよい。各フィラメント１０は、ここでは、細長形かつ直線状である。更には、各フィラメント１０は、当該長手方向軸が、当該フィラメントが配置されている凹部８の長手方向延伸と実質的に平行になるように配置されている。また更には、フィラメント１０は、平面Ｐを画定する平面構成で配置されている。すなわち、フィラメント１０の全てが、実質的に平面Ｐ内に存在している。この場合、フィラメント１０が存在している平面Ｐは、コリメータ６の表面７と実質的に平行である。図３において最も良好に見られるように、照明の主方向Ｉ及び光軸Ａは、ここでは、平面Ｐに対して垂直である。図２では、平面Ｐは、紙面の平面に平行である。
【００２６】
４つのフィラメント１０は、この場合、光軸Ａの周りに対称に配置されている。具体的には、フィラメント１０の長手方向軸は、光軸Ａに対して半径方向に配置されている。換言すれば、長手方向軸は、ここでは、光軸Ａから半径方向に離れる方向を向いている。この場合、隣接する一対のフィラメント１０のそれぞれの間には、約９０度の角度α存在している。それゆえ、フィラメント１０は一体となって、光軸Ａを中心とする十字状の形状を形成している。更には、フィラメント１０のそれぞれの長手方向軸は、ここでは、２つの他のフィラメント１０の長手方向軸と非平行である点に留意されたい。例えば、図２でＬ１及びＬ２によって示されている長手方向軸は、互いに垂直である。
【００２７】
フィラメント１０の全てが、この場合、当該技術分野において既知の、同じ従来のタイプのものである。次に、図２でＬ１によって示された長手方向軸を有するフィラメント１０が、図４を参照して、より詳細に説明される。
【００２８】
図４に示されるフィラメント１０は、長さｌ及び幅ｗを有する。長さｌ及び幅ｗの双方とも、ここでは、平面Ｐ内で測定されている。長さｌは、例えば、１ｃｍ〜２０ｃｍの範囲、あるいは、２ｃｍ〜１２ｃｍ、又は３ｃｍ〜１０ｃｍの範囲であってもよい。幅ｗは、例えば、０．５ｍｍ〜１０ｍｍの範囲、あるいは、０．８ｍｍ〜８ｍｍ、又は１〜５ｍｍの範囲であってもよい。比ｌ／ｗは、例えば、少なくとも５、あるいは、少なくとも８又は少なくとも１０であってもよい。
【００２９】
更には、フィラメント１０は、透明支持体１１を含む。支持体１１を作製することが可能な材料の一部の例は、ガラス、サファイア、及び石英である。支持体１１は、ここでは、平面状かつ細長形である。支持体１０の長手方向軸は、図４ではＬ１によって示されている。支持体１１の長手方向軸Ｌ１は、フィラメント１０の長手方向軸を画定している。支持体１１は、支持体１１上に印刷されている導電性トラックなどの、電気回路（図示せず）を有する。
【００３０】
以降では簡潔性のために「光源」と称される、いくつかの固体光源１２が、支持体１１上に取り付けられている。光源１２は、この場合、ここでは線形アレイである、アレイを形成するように取り付けられている。光源１２は、この場合、支持体１１の電気回路に電気的に接続されている。光源１２のそれぞれは、発光面１３から光を放出するように構成されている。４つの光源１２が図４に示されているが、光源１２の数は、異なる実施例では、４つよりも多いか又は少なくてもよい。光源１２の数は、例えば、少なくとも５、あるいは、少なくとも８、１０、１５、又は２０であってもよい。光源１２は、この実施例では発光ダイオード（ＬＥＤ）であるため、フィラメント１０は、ＬＥＤフィラメントと称されてもよい。発光ダイオードは、例えば、半導体ＬＥＤ、有機ＬＥＤ、又はポリマーＬＥＤであってもよい。光源１２の全てが、典型的には、同じ色の光を放出するように構成されているが、一部の用途では、異なる光源１２は、異なる色の光を放出するように構成されてもよい。
【００３１】
図４のフィラメント１０は、封入材１４を更に含む。封入材１４は、典型的には、シリコーンタイプの材料などの、ポリマーを含む。封入材１４は、発光面１３を覆っている。この場合、封入材１４は、支持体１１を完全に包囲している。それゆえ、封入材１４は、支持体１１の光源１２が配置されている側の上、並びに、支持体１１の光源１２が存在しない側の上に設けられている。支持体１１が透明ではない場合には、封入材１４は、典型的には、支持体１１の光源１２が配置されている側の上にのみ設けられるが、このことは、当然ながらまた、支持体１１が透明である場合にも当てはまり得る点に留意されたい。
【００３２】
封入材１４は、ルミネッセント材料１５を含み、ルミネッセント材料は、この場合、封入材１４全体にわたって分散されている。ルミネッセント材料１５は、例えば、無機蛍光体、有機蛍光体、量子ドット、及び／又は量子ロッドであってもよい。ルミネッセント材料１５は、光源１２によって放出された光を、少なくとも部分的に変換光に変換するように構成されている。変換光は、光源１２によって放出される光とは異なる波長を有する。多くの用途では、変換光は、未変換光よりも長い波長を有する。未変換光は、例えば、青色及び／又は紫色であってもよく、変換光は、例えば、緑色、黄色、橙色、及び／又は赤色であってもよい。
【００３３】
光源１２によって放出される光の色、及びルミネッセント材料１５のタイプは、用途に依存している。例えば、ルミネッセント材料１５は、蛍光体であってもよく、光源１２は、蛍光体を「ポンプ」する青色光及び／又はＵＶ光を放出してもよい。赤色光を放出するように構成されている光源１２もまた、一部の用途において使用される。それゆえ、フィラメント１０によって放出される光は、ルミネッセント材料１５によって変換された光と、光源１２によって放出された非変換光との、混合物を含む。変換光と非変換光との比率は、光源１２によって放出された光のうち、どの程度がルミネッセント材料１５によって変換されているかに依存する。一部の用途では、ルミネッセント材料１５、及び光源１２によって放出される光の色は、フィラメント１０が、白熱フィラメントによって放出される光に類似する光、すなわち黄色光を放出するように選択される。あるいは、フィラメント１０は、白色光を放出するように構成されてもよい。白色光は、黒体軌跡から１５ＳＤＣＭ以内の光であってもよい。そのような白色光の色温度は、例えば、２０００Ｋ〜６０００Ｋの範囲、あるいは、２３００Ｋ〜５０００Ｋの範囲、又は２５００Ｋ〜４０００Ｋの範囲であってもよい。そのような白色光の演色評価数ＣＲＩ（color rendering index）は、例えば、少なくとも７０、あるいは、９０又は９２などの、少なくとも８０又は少なくとも８５であってもよい。
【００３４】
ここで図２及び図３に戻ると、照明デバイス５は、フィラメント１０に電気的に接続されているコントローラ１６を更に備える点に留意されたい。コントローラ１６は、この場合、フィラメント１０を互いに独立して制御するように構成されている。コントローラ１６は、例えば、フィラメント１０をオン若しくはオフにするように、フィラメント１０によって放出される光の強度を変化させるように、及び／又は、フィラメント１０によって放出される光の色を制御するように構成されてもよい。異なるフィラメント１０をオン又はオフにすることによって、コントローラ１６は、例えば、照明器具１から出る光のビームを成形するように使用されてもよい。
【００３５】
コントローラ１６は、照明デバイス５の他の実施例において含まれてもよく又は含まれなくてもよい、オプションの特徴である点に留意されたい。また、コントローラ１６は、フィラメント１０を、互いに独立して制御するのではなく、何らかの他の方式で制御するように構成されてもよい点に留意されたい。例えば、コントローラ１６は、第１のグループと第２のグループとを個別に制御するように構成されてもよく、図２の軸Ｌ１と平行な２つのフィラメントが第１のグループを形成し、図２の軸Ｌ２と平行なフィラメントが第２のグループを形成している。それゆえ、第１のグループのフィラメントは、第２のグループのフィラメントに対して垂直である。そのようなコントローラ１６は、異なる向きを有する細長形の光ビームを得るために使用されてもよい。
【００３６】
動作の間、照明デバイス５は、この場合、電気接続部４を介して幹線から電力を受け取る。フィラメント１０は、コリメータ６によってコリメートされる光を放出する。光は、出射窓３を通って照明器具１から出て、照明器具１の周囲を照明する。各サブコリメータ８は、この場合、当該サブコリメータから出る光が、平面Ｐに平行、かつ対応するフィラメント１０の長手方向軸に対して垂直な方向、すなわち、対応するフィラメント１０の幅と平行な方向に、高度にコリメートされるように配置されている。光はまた、対応するフィラメント１０の長手方向軸に平行な方向にもコリメートされるが、比較的小さい程度のみである。
【００３７】
図５、図６、及び図７は、照明デバイス５又はサブコリメータ８から出る光の、様々な態様を概略的に示す。具体的には、図５は、単一のサブコリメータ８から出る光の強度分布を示すものであり、縦軸が強度を表し、横軸が角度を表している。Ｉ１によって示される曲線の場合、角度は、（ｉ）平面Ｐに対して垂直であり、フィラメント１０の中心に位置する軸と、（ｉｉ）フィラメント１０の長手方向軸との間である。Ｉ２によって示される曲線の場合、角度は、（ｉ）平面Ｐに対して垂直であり、フィラメント１０の中心に位置する軸と、（ｉｉ）フィラメント１０の幅に平行であり、フィラメント１０の中心に位置する軸との間である。曲線Ｉ２が曲線Ｉ１よりも著しく高いレベルのコリメーションを表していることは、図５から明らかである。
【００３８】
図６は、この場合は照明器具１の下方の床の平面などの、平面Ｐと平行な平面上の、サブコリメータ８のうちの１つから出る光の投影を示す。軸Ａ１及び軸Ａ２は、それぞれ、フィラメント１０の長手方向軸、及びフィラメント１０の幅と平行である。最後に、図７は、照明器具１の下方の床の平面などの、平面Ｐと平行な平面上の、照明デバイス５から出る光の投影を示す。
【００３９】
図８〜図１０は、図１〜図７に関連して上述された照明デバイス５と同様であるが、ただし、フィラメント１０が他のタイプの平面構成で配置されている、照明デバイス２０、３０、４０を示す。これらの平面構成のうちの一部が組み合わされてもよい点に留意されたい。例えば、図８に示される構成が、図９に示されるものと組み合わされてもよい。
【００４０】
図８は、星形状を形成するように配置されている５つのフィラメントを有する、照明デバイス２０を示す。星形状は、ここでは５つの「脚」を有する。フィラメント１０の数が異なる、異なる実施例では、脚の数もまた、当然ながら、５つとは異なり、より少ないか又はより多いかのいずれかであってもよい。平面構成によって画定されている平面内では、隣接している各対のフィラメント１０の各長手方向軸の間には、角度βが存在している。フィラメント１０のうちの２つの長手方向軸が、図８のＬ１及びＬ２によって示されている。この場合、角度βは等しい。具体的には、角度βは７２度である。サブコリメータ８は、この場合、コリメータ２１の光軸Ａにおいて互いに一体化されていない。しかしながら、星形状に配置されているフィラメントを有する照明デバイスは、図２及び図３のサブコリメータと同様に、光軸Ａにおいて互いに一体化されているサブコリメータ８を有してもよい点に留意されたい。
【００４１】
照明デバイス２０は、光軸Ａを中心として、０度、７２度、１４４度、２１６度、及び２８８度で光軸Ａに対して半径方向に配置されている、５つのフィラメント１０を備えるものとして説明されてもよい。同様に、図１〜図７に関連して上述された照明デバイス５は、光軸Ａに対して、０度、９０度、１８０度、及び２７０度で光軸Ａに対して半径方向に配置されている、４つのフィラメント１０を備える照明デバイスとして説明されてもよい。図１〜図７に関して上述された照明デバイス５、２０と同様であり、かつ半径方向に配置されているフィラメント１０を有する、照明デバイスの更なる実施例としては、（ｉ）２つ、４つ、６つ、又は８つのフィラメント１０を備え、フィラメント１０が、光軸Ａを中心として０度及び９０度に配置されている、照明デバイス、（ｉｉ）３つ、６つ、９つ、又は１２個のフィラメント１０を備え、フィラメント１０が、光軸Ａを中心として０度、１２０度、及び２４０度に配置されている、照明デバイス、（ｉｉｉ）８つ又は１２個のフィラメント１０を備え、フィラメント１０が、光軸Ａを中心として０度、９０度、１８０度、及び２７０度に配置されている、照明デバイス、（ｉｖ）１０個又は１５個のフィラメント１０を備え、フィラメント１０が、光軸Ａを中心として０度、７２度、１４４度、２１６度、及び２８８度に配置されている、照明デバイス、（ｖ）６個、１２個、又は１８個のフィラメント１０を備え、フィラメント１０が、光軸Ａを中心として０度、６０度、１２０度、１８０度、２４０度、及び３００度に配置されている、照明デバイス、並びに（ｖｉ）７個、１４個、又は２１個のフィラメント１０を備え、フィラメント１０が、光軸Ａを中心として０度、５１度、１０３度、１５４度、２０６度、２５９度、及び３０９度に配置されている、照明デバイスが挙げられる。
【００４２】
図９は、各フィラメント１０の長手方向軸が、照明デバイス３０の光軸Ａの半径方向に対して垂直に配置されるように、６つのフィラメントが配置されている、照明デバイス３０を示す。フィラメント１０のうちの２つの長手方向軸が、図９のＬ１及びＬ２によって示されている。図９から明らかであるように、長手方向軸Ｌ１とＬ２とは非平行である。フィラメント１０、及びコリメータ３１のサブコリメータ８もまた、多角形形状を形成するように配置されている。多角形は、ここでは六角形形状である。フィラメント１０の数が異なる、異なる実施例では、五角形形状、七角形形状、又は八角形形状などの、他の多角形形状が、当然ながら可能である。
【００４３】
図１０は、グループとして配置されている、フィラメント１０とコリメータ４１のサブコリメータ８とを有する、照明デバイス４０を示す。具体的には、この場合、それぞれ２つのフィラメント１０から成る４つのグループとして配置されている、８つのフィラメント１０が存在している。グループは、図１０では、それぞれ、Ｇ１、Ｇ２、Ｇ３、及びＧ４によって示されている。各グループは、光軸Ａに対して、他のグループとは異なる方向に向けられている。フィラメント１０のうちの２つの長手方向軸が、Ｌ１及びＬ２によって示されており、これらの長手方向軸Ｌ１、Ｌ２は、非平行である点に留意されたい。更には、照明デバイス４０には、図２及び図３のコントローラ１６などの、コントローラが設けられてもよい点に留意されたい。そのようなコントローラは、例えば、フィラメント１０のグループＧ１、Ｇ２、Ｇ３、Ｇ４によって放出される光を、互いに独立して制御するように構成されてもよい。
【００４４】
当業者は、本発明が、上述の好ましい実施形態に決して限定されるものではない点を、理解するものである。むしろ、多くの修正形態及び変形形態が、添付の請求項の範囲内で可能である。例えば、コリメータを含まない照明デバイスが想到可能である。
【００４５】
更には、図面、本開示、及び添付の請求項を検討することにより、開示される実施形態に対する変形形態が、当業者によって理解され、特許請求される発明を実施する際に遂行され得る。請求項では、単語「備える（comprising）」は、他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利には使用され得ないことを示すものではない。
【図１】
2021535576.tif 000003
【図２】
2021535576.tif 000004
【図３】
2021535576.tif 000005
【図４】
2021535576.tif 000006
【図５】
2021535576.tif 000007
【図６】
2021535576.tif 000008
【図７】
2021535576.tif 000009
【図８】
2021535576.tif 000010
【図９】
2021535576.tif 000011
【図１０】
2021535576.tif 000012
【国際調査報告】
2021535576.tif 000013
2021535576.tif 000014